(57)【要約】【課題】演奏者を演奏に集中させることが可能となる電子打楽器を提供する。【解決手段】ドラムパッド１０１ａ〜１０１ｅとシンバルパッド１０２ａおよび１０２ｂを取り付けるスタンド１０６は、主として、２本の支柱１０６ａおよび１０６ｂと、支柱１０６ａおよび１０６ｂを略水平に繋ぐ２本のフレームと、各パッド１０１ａ，１０１ｂおよび１０１ｅを取り付けるアーム１０６ｅ〜１０６ｉとによって構成されている。そして、２本のフレームのうち、下側のフレームを三角柱形状のコントローラ１で置き換えている。これにより、電子ドラムの重心をスタンド１０６の下部に位置させることができて、電子ドラムを安定化させることができるとともに、スタンド１０６の剛性を保ちながら、装置全体としての部品点数を減少させることができる。【選択図】図１
2007206633.tif 000002
【特許請求の範囲】
【請求項１】
演奏者の打撃操作に応じて電気信号を発生する、複数の打撃操作子と、
該複数の打撃操作子が発生した電気信号を伝達する信号線と、
該信号線を接続し、該信号線によって伝達された電気信号に応じて、楽音信号を生成する制御部と、
前記複数の打撃操作子を保持する、複数の長尺体からなるスタンドと
を有し、
前記複数の長尺体には、前記制御部と、少なくとも２本の支柱とが含まれ、
前記制御部は、前記２本の支柱を、該支柱の長手方向の中心より下部で、略水平に渡すように配置される
ことを特徴とする電子打楽器。
【請求項２】
前記制御部は、前記２本の支柱の長手方向に任意に移動させて取付可能であることを特徴とする請求項１に記載の電子打楽器。
【発明の詳細な説明】
【技術分野】
【０００１】
本発明は、複数の打撃操作子を備えた電子打楽器に関する。
【背景技術】
【０００２】
複数の打撃操作子を備えた電子打楽器は、従来から知られている。
【０００３】
このような電子打楽器として、電子ドラムがある。
【０００４】
図２は、従来の電子ドラムの一例を示す外観図である。
【０００５】
図示例の電子ドラムは、５個のドラムパッド１０１ａ〜１０１ｅと、２個のシンバルパッド１０２ａおよび１０２ｂと、１個のキックパッド１０３と、演奏者がスティック（図示せず）を用いて、各パッド１０１ａ〜１０１ｅ，１０２ａおよび１０２ｂを叩くことにより、各パッド１０１ａ〜１０１ｅ，１０２ａおよび１０２ｂから出力されるトリガ信号に従って楽音信号を生成する音源回路を含むコントローラ１０４と、コントローラ１０４から出力された楽音信号をステレオ音響に変換するスピーカ１０５ａおよび１０５ｂと、各パッド１０１ａ〜１０１ｅ，１０２ａ，１０２ｂ、コントローラ１０４およびスピーカ１０５ａ，１０５ｂを取り付ける、複数の金属（たとえば、アルミニウム）製パイプからなるスタンド１０６とによって構成されている。
【０００６】
スタンド１０６は、主として、２本の支柱１０６ａおよび１０６ｂと、支柱１０６ａおよび１０６ｂを略水平に繋ぐ２本のフレーム１０６ｃおよび１０６ｄと、各パッド１０１ａ，１０１ｂ，１０１ｅ、コントローラ１０４およびスピーカ１０５ａ，１０５ｂを取り付けるアーム１０６ｅ〜１０６ｉとによって構成されている。支柱１０６ａおよび１０６ｂには、アーム１０６ｅ〜１０６ｉが取り付けられ、フレーム１０６ｃには、２個のドラムパッド１０１ｃおよび１０１ｄと、２個のシンバルパッド１０２ａおよび１０２ｂとが取り付けられている。
【０００７】
図３は、従来の電子ドラムの他の一例を示す外観図である。
【０００８】
図示例の電子ドラムは、図２に示す電子ドラムに対して、スピーカ１０５ａ，１０５ｂおよびフレーム１０６ｄを省き、コントローラ１０４′とドラムパッド１０１ａを同じアーム１０６ｇに取り付けた点が異なっている。
【発明の開示】
【発明が解決しようとする課題】
【０００９】
しかし、上記従来の電子ドラムのうち、図２のものは、コントローラ１０４、スピーカ１０５ａ，１０５ｂおよびシンバルパッド１０２ａ，１０２ｂなどの質量の重いものが、スタンド１０６の上部に取り付けられているので、電子ドラムの重心はスタンド１０６の上部に位置する。したがって、演奏者がスティックを用いて、各パッド１０１ａ〜１０１ｅ，１０２ａおよび１０２ｂを叩くことで演奏を行うと、スタンド１０６が揺れてしまい、演奏者は不快感を覚えることがある。また、コントローラ１０４と各パッド１０１ａ〜１０１ｅ，１０２ａ，１０２ｂ，１０３およびスピーカ１０５ａ，１０５ｂとは、信号を伝達するケーブル（図示せず）で接続されているが、図２の電子ドラムでは、コントローラ１０４はスタンド１０６の左端に取り付けられているので、すべてのケーブルの長さを揃えた場合、コントローラ１０４と、コントローラ１０４から最も遠くに位置するデバイス、図示例では、スピーカ１０５ｂあるいはドラムパッド１０１ｅとの距離に、すべてのケーブルの長さを揃えなければならない。しかし、すべてのケーブルの長さをこのように揃えた場合、コントローラ１０４との距離が最も短いデバイス、図示例では、スピーカ１０５ａあるいはドラムパッド１０１ａと、コントローラ１０４とを接続したケーブルは長すぎるため、その余剰部分を結束バンドなどで止めておく必要があり、演奏者に手間のかかる作業を強いていた。
【００１０】
また、上記従来の電子ドラムのうち、図３のものでは、コントローラ１０４′とドラムパッド１０１ａとが同一アーム１０６ｇ上に取り付けられているので、演奏者がスティックを用いて、ドラムパッド１０１ａを叩こうとして、誤ってコントローラ１０４′を叩いてしまうことがあった。
【００１１】
さらに、上記従来の２台の電子ドラムに共通して言えることは、コントローラ１０４，１０４′をスタンド１０６に取り付ける作業が面倒であると言うことである。
【００１２】
本発明は、この点に着目してなされたものであり、演奏者を演奏に集中させることが可能となる電子打楽器を提供することを目的とする。
【課題を解決するための手段】
【００１３】
上記目的を達成するため、請求項１に記載の電子打楽器は、演奏者の打撃操作に応じて電気信号を発生する、複数の打撃操作子と、該複数の打撃操作子が発生した電気信号を伝達する信号線と、該信号線を接続し、該信号線によって伝達された電気信号に応じて、楽音信号を生成する制御部と、前記複数の打撃操作子を保持する、複数の長尺体からなるスタンドとを有し、前記複数の長尺体には、前記制御部と、少なくとも２本の支柱とが含まれ、前記制御部は、前記２本の支柱を、該支柱の長手方向の中心より下部で、略水平に渡すように配置されることを特徴とする。
【００１４】
好ましくは、前記制御部は、前記２本の支柱の長手方向に任意に移動させて取付可能であることを特徴とする。
【発明の効果】
【００１５】
請求項１に記載の発明によれば、演奏者の打撃操作に応じて電気信号を発生する、複数の打撃操作子と、該複数の打撃操作子が発生した電気信号を伝達する信号線と、該信号線を接続し、該信号線によって伝達された電気信号に応じて、楽音信号を生成する制御部と、前記複数の打撃操作子を保持する、複数の長尺体からなるスタンドとを有し、前記複数の長尺体には、前記制御部と、少なくとも２本の支柱とが含まれ、前記制御部は、前記２本の支柱を、該支柱の長手方向の中心より下部で、略水平に渡すように配置されるので、電子打楽器の重心をスタンドの下部に位置させることができて、電子打楽器を安定化させることができるとともに、スタンドの剛性を保ちながら、装置全体としての部品点数を減少させることができる。
【発明を実施するための最良の形態】
【００１６】
以下、本発明の実施の形態を図面に基づいて詳細に説明する。
【００１７】
図１は、本発明の一実施の形態に係る電子打楽器を適用した電子ドラムの外観を示す図であり、同図（ａ）は、本実施の形態の電子ドラムを正面から見たときの外観を示し、同図（ｂ）は、同図（ａ）の矢印Ａの方向からコントローラ１を見たときの外観の一部を示している。
【００１８】
図１（ａ）に示すように、本実施の形態の電子ドラムは、前記図２の電子ドラムに対して、図２の電子ドラムのフレーム１０６を構成する２本のフレーム１０６ｃおよび１０６ｄのうち、下側のフレーム１０６ｄを三角柱形状のコントローラ１で置き換えた点のみが異なっている。このように、コントローラ１で、２本のフレーム１０６ｃおよび１０６ｄのうち、上側のフレーム１０６ｃではなく、下側のフレーム１０６ｄを置き換えたのは、コントローラ１の質量は、フレーム１０６ｃまたは１０６ｄの質量より重く、上側のフレーム１０６ｃをコントローラ１で置き換えた場合には、本実施の形態の電子ドラムの重心がスタンド１０６の下部に位置しなくなるからである。ただし、コントローラ１は、フレーム１０６ｃより重いものの、フレーム１０６ｃには、２個のドラムパッド１０１ｃおよび１０１ｄと、２個のシンバルパッド１０２ａおよび１０２ｂとが取り付けられているので、本実施の形態の電子ドラムの重心をスタンド１０６の下部に位置させるようにするためには、コントローラ１は、少なくとも、各支柱１０６ａおよび１０６ｂの長手方向の中心より下に取り付ける必要がある。
【００１９】
コントローラ１は、前記図２および図３中のコントローラ１０４，１０４′と形状のみが異なり、その機能構成は同様である。したがって、コントローラ１には、音源回路（図示せず）も内蔵されている。
【００２０】
コントローラ１は、図１（ｂ）に示すように、２本の支柱１０６ａおよび１０６ｂのそれぞれに、２本のネジ２ａおよび２ｂでネジ止めされている。
【００２１】
コントローラ１の左側上面には、各種情報を表示するためのＬＣＤ（Liquid Crystal Display）１ａと、各種設定を行うための複数の設定操作子１ｂが設けられている。なお、コントローラ１の上面は、演奏者がＬＣＤ１ａを見易く、設定操作子１ｂを操作し易いように、傾いている。つまり、この目的のために、コントローラ１は、三角柱形状となっている。コントローラ１の背面の長手方向の略中心部には、各パッド１０１ａ〜１０１ｅ，１０２ａ，１０２ｂおよび１０３からそれぞれ延びたケーブルを接続する、複数のコネクタ（図示せず）が設けられている。このように、各パッド１０１ａ〜１０１ｅ，１０２ａ，１０２ｂおよび１０３からコントローラ１の背面のコネクタまでの距離は、略同一であるので、各ケーブルの長さを揃えつつ、余剰部分が生じないようにすることができる。したがって、同じ長さのケーブルを複数用意すればよいので、ケーブルの調達コストを低減させることができる。
【００２２】
このように、本実施の形態では、コントローラ１を、２本のフレームのうち、下側のフレームに代えて設けるようにしたので、電子ドラムの重心をスタンド１０６の下部に位置させることができて、電子ドラムを安定化させることができるとともに、スタンド１０６の剛性を保ちながら、装置全体としての部品点数を減少させることができる。
【００２３】
また、コントローラ１は、各パッド１０１ａ〜１０１ｅ，１０２ａおよび１０２ｂの近くに配置されていないので、演奏者は、コントローラ１を不用意に叩くことがなくなる。
【００２４】
なお、本実施の形態では、コントローラ１は、２本の支柱１０６ａおよび１０６ｂの所定位置にネジ止めすることで固定されるようにしたが、これに限らず、フレーム１０６ｃと同様に、２本の支柱１０６ａおよび１０６ｂの上方向または下方向の任意の位置に取付可能に構成してもよい。このようにすることで、演奏者は、好みの（操作し易い）高さや、重心および安定性を考慮した高さに、コントローラを設置することができる。
【００２５】
また、本実施の形態では、２本の支柱１０６ａおよび１０６ｂを略水平に渡すフレームとして、コントローラ１の他にもう１本、つまりフレーム１０６ｃを設けるようにしたが、これに限らず、２本の支柱１０６ａおよび１０６ｂを略水平に渡すフレームとして、コントローラ１のみを設けるようにしてもよい。ただし、このフレームをコントローラ１のみにすると、２本のフレームを設けるようにした場合に比べ、スタンド１０６の剛性は低下する。
【００２６】
さらに、本実施の形態では、支柱を２本としたが、これより多くてもよい。ただし、支柱の数が多いと、支柱が演奏者の足の邪魔になり、演奏の妨げになるので、２本程度が好ましい。
【図面の簡単な説明】
【００２７】
【図１】本発明の一実施の形態に係る電子打楽器を適用した電子ドラムの外観を示す図である。
【図２】従来の電子ドラムの一例を示す外観図である。
【図３】従来の電子ドラムの他の一例を示す外観図である。
【符号の説明】
【００２８】
１…コントローラ（制御部、長尺体），１０１ａ〜１０１ｅ…ドラムパッド（打撃操作子），１０２ａ，１０２ｂ…シンバルパッド（打撃操作子），１０６ｅ〜１０６ｉ…アーム（長尺体），１０６…スタンド，１０６ａ，１０６ｂ…支柱（長尺体）
【図１】
2007206633.tif 000003
【図２】
2007206633.tif 000004
【図３】
2007206633.tif 000005